(57)【特許請求の範囲】
【請求項１】
２層構造からなる金属製屋根及び金属製壁において、内方側の内殻屋根と内殻壁は、２つの屈曲端縁を有する屋根側水切り材にて横梁箇所で接続され、前記内殻壁同士は、２つの屈曲端縁を有する壁側水切り材にて主柱箇所で接続され、前記内殻屋根及び内殻壁と、前記屋根側水切り材との間にシート状シール材が介在されて前記横梁に固定されつつそれぞれ溝状部が形成され、且つ前記内殻壁同士と壁側水切り材との間にシート状シール材が介在されて前記主柱に固定されつつそれぞれ溝状部が形成され、それぞれの溝状部にシール材が装着されて、気密性を有してなることを特徴とするクリーンルーム。
【請求項２】
２層構造からなる金属製屋根と金属製壁と、２つの屈曲端縁を有する屋根側水切り材と２つの屈曲端縁を有する壁側水切り材とからなり、前記金属製屋根における内殻屋根を構成する金属屋根板材同士の馳部接合面には接合部シール材を設けて気密性を有し、前記内殻屋根と内殻壁とは前記屋根側水切り材にて横梁箇所で接続され、前記内殻壁同士は壁側水切り材にて主柱箇所で接続され、前記内殻屋根及び内殻壁と、前記屋根側水切り材との間にシート状シール材が介在されて前記横梁に固定されつつそれぞれ溝状部が形成され、且つ前記内殻壁同士と壁側水切り材との間にシート状シール材が介在されて前記主柱に固定されつつそれぞれ溝状部が形成され、それぞれの溝状部にシール材が装着されてなることを特徴とするクリーンルーム。
【請求項３】
請求項１又は２において、前記溝状部に装着されるシール材は、定型シール材及び非定型シール材とし、前記定型シール材は非定型シール材よりも先に装着されてなることを特徴とするクリーンルーム。
【発明の詳細な説明】
【０００１】
【発明の属する技術分野】
本発明は、施工性に優れ、気密構造箇所の施工が容易で、且つ気密性，防水性に優れ、特に独立した工場として新設，増設に好適なクリーンルームに関する。
【０００２】
【従来の技術】
従来より、半導体，カメラ，時計等の精密部品或いは薬剤等を製造するために種々のクリーンルームが施工されている。そのクリーンルームは、その外部と内部とが気密状態となるように遮断されていなくてはならない。そのために、従来のクリーンルームの施工には、気密性のある部屋を作り、その外側周辺に屋根や壁を取り付けていた。このため、屋根，壁の気密性は重要ではなかった。しかし、従来の方法は、上記の気密性のある部屋と屋根，壁の工事は別々のものであり、このために工期が長く、費用の高い工事となった。このような、クリーンルームは、一般に大型工場等の建造物の内部に設置されることが多く、独立した建造物として施工されることが少なく、またクリーンルーム自体も大規模なものであり、施工期間が長く且つ施工費用が高いものであった。
【０００３】
【発明が解決しようとする課題】
そこで、発明者等は工期が短く、費用の安い工法として、従来の気密性のある部屋を不要とし、金属製屋根，壁で気密性を持たせたクリーンルームを開発したのである。従来の金属製屋根，壁はクリーンルームとしての気密性がないことから、屋根板と屋根板の継ぎ目，壁板と壁板の継ぎ目及び屋根板と壁板の継ぎ目の気密性向上が大きな課題であった。
【０００４】
【課題を解決するための手段】
そこで、発明者は、上記課題を解決すべく、鋭意，研究を重ねた結果、本発明を、２層構造からなる金属製屋根及び金属製壁において、内方側の内殻屋根と内殻壁は、２つの屈曲端縁を有する屋根側水切り材にて横梁箇所で接続され、前記内殻壁同士は、２つの屈曲端縁を有する壁側水切り材にて主柱箇所で接続され、前記内殻屋根及び内殻壁と、前記屋根側水切り材との間にシート状シール材が介在されて前記横梁に固定されつつそれぞれ溝状部が形成され、且つ前記内殻壁同士と壁側水切り材との間にシート状シール材が介在されて前記主柱に固定されつつそれぞれ溝状部が形成され、それぞれの溝状部にシール材が装着されて、気密性を有してなるクリーンルームとしたことにより、特に屋根と壁との間における気密性を良好にするとともに、その施工性も優れたものとし、上記課題を解決したものである。
【０００５】
【発明の実施の形態】
以下、本発明の実施形態を図面に基づいて説明する。図１は、本発明のクリーンルームの全体を示すものであって、内殻屋根Ａ，内殻壁Ｂ，外殻屋根ＵR ，外殻壁ＵW 等を一部切除した斜視図である。また、図２（Ａ）は、外殻屋根ＵR を一部切除して内部の内殻屋根Ａが見えるようにした平面図であり、図２（Ｂ）は、外殻壁ＵW を省略して内殻壁Ｂを見えるようにしたものである。さらに、図２（Ｃ）により、クリーンルームの断面であり、屋根及び壁が２層となっている状態を示している。
【０００６】
本発明のクリーンルームは、内殻屋根Ａを構成する金属屋根板材Ａ1 及び内殻壁Ｂを構成する金属壁板材Ｂ1 が後述する屋根側水切り材Ｃ，壁側水切り材Ｄにより覆われ、上記部材同士の当接箇所に定型シール材１８及び非定型シール材１９が装着されることにより気密構造を構成するものである。
【０００７】
その金属屋根板材Ａ1 は、平坦状の屋根主板１の幅方向両端に屋根立馳連結部２，２が形成されている。該屋根立馳連結部２は、その断面形状が略逆Ｌ字形状で垂直状片２ａが形成され、該垂直状片２ａの上端より水平状片２ｂが形成されている。また、屋根主板１の幅方向一端側の屋根立馳連結部２の水平状片２ｂの端縁から折返し用屈曲片２ｃが形成されている。
【０００８】
隣接する金属屋根板材Ａ1 ，Ａ1 同士の対向する屋根立馳連結部２，２の垂直状片２ａ，２ａ同士を当接させ、折返し用屈曲片２ｃを他方側の屋根立馳連結部２の水平状片２ｂの下面側に折り曲げて挟持固定する。そして、前記屋根立馳連結部２，２同士の連結を並設された複数の金属屋根板材Ａ1 ，Ａ1 …の全てに亘って行い内殻屋根Ａを施工してゆくものである（図２及び図８参照）。
【０００９】
その隣接する金属屋根板材Ａ1 ，Ａ1 の接続された屋根立馳連結部２，２の間には、接合部シール材が挟持状態で装着される。具体的には、両屋根立馳連結部２，２の水平状片２ｂ，２ｂ間に接合部シール材２０が装着され〔図８（Ａ）参照〕、これによって並設された金属屋根板材Ａ1 ，Ａ1 がいずれの連結箇所でも気密性Ａを確保することができる構造となっている。また、金属屋根板材Ａ1 の長手方向の端部には、垂直状片２ａ，２ａ間にも接合部シール材２０が装着される〔図８（Ｂ）参照〕。
【００１０】
特に、金属屋根板材Ａ1 ，Ａ1 の長手方向の端部箇所で、垂直状片２ａ，２ａ同士に接合部シール材２０を装着することにより、金属屋根板材Ａ1 の長手方向端部の気密性を充分に高めることができる。その接合部シール材２０の材質の具体例としては、ブチルゴム材である。また、屋根板の接合部はこの他にも、シーム溶接接合形状や馳締構造等も適している。
【００１１】
次に、金属壁板材Ｂ1 は、前記金属屋根板材Ａ1 と同様の断面形状としたものであり、壁主板３の幅方向両端側に壁立馳連結部４，４が形成されている。該壁立馳連結部４は、垂直状片４ａ及び水平状片４ｂとから構成され、また幅方向一端側の壁立馳連結部４の水平状片４ｂの端縁には折返し用屈曲片４ｃが形成されている。
【００１２】
その金属壁板材Ｂ1 ，Ｂ1 同士の接続は、前記金属屋根板材Ａ1 と同様であり、壁立馳連結部４，４の垂直状片４ａ，４ａ同士を当接させ、折返し用屈曲片４ｃを他方側の壁立馳連結部４の水平状片４ｂの下面側に折り曲げて挟持固定する〔図８（Ａ），（Ｂ）参照〕。そして、前記壁立馳連結部４，４同士の連結を並設された複数の金属壁板材Ｂ1 ，Ｂ1 …の全てに亘って行い内殻壁Ｂを施工してゆくものである。
【００１３】
その隣接する金属壁板材Ｂ1 ，Ｂ1 の接続された壁立馳連結部４，４の間にも前記接合部シール材２０が挟持状態で装着される。具体的には、前述した隣接する金属屋根板材Ａ1 ，Ａ1 同士の連結と同様であって、両壁立馳連結部４，４の水平状片４ｂ，４ｂ間に接合部シール材２０が装着され、これによって並設された金属壁板材Ｂ1 ，Ｂ1 からなる内殻壁Ｂがいずれの連結箇所でも気密性を維持することができる構造となっている〔図８（Ａ）参照〕。また、金属壁板材Ｂ1 の長手方向の端部箇所には、垂直状片４ａ，４ａ間にも接合部シール材２０が装着される〔図８（Ｂ）参照〕。これによって、内殻壁Ｂの気密性を充分に高めることができる。
【００１４】
次に、屋根側水切り材Ｃは、金属屋根板材Ａ1 にて施工した屋根の水上側，水下側の両軒先及びケラバ箇所を気密状態で納めるものである。その屋根側水切り材Ｃは、前記金属屋根板材Ａ1 と金属壁板材Ｂ1 とを気密性を有して接続する部材であって、軒側水切り材Ｃ1 とケラバ側水切り材Ｃ2 とからなる。
【００１５】
その軒側水切り材Ｃ1 は、上面板５ａと側面板５ｂから構成される納め板部５と屈曲端縁６からなる〔図３及び図４（Ａ），（Ｂ）参照〕。ケラバ側水切り材Ｃ2 は、前記軒側水切り材Ｃ1 と略同様に、上面板５ａと側面板５ｂから構成される納め板部５と屈曲端縁６からなる〔図６（Ｂ）参照〕。壁側水切り材Ｄは、隣合うコーナー板部７，７から構成され、それぞれに屈曲端縁８，８が形成され、コーナー箇所において、直角に隣接する金属壁板材Ｂ1 ，Ｂ1 の納めを行なう〔図５（Ｂ），（Ｃ）参照〕。
【００１６】
その屋根側水切り材Ｃ及び壁側水切り材Ｄは、建築構造物の主柱９及び横梁１０にて構成された構造枠に沿って配置固定されたものである。具体的には、その屋根側水切り材Ｃの場合には、軒側水切り材Ｃ1 とケラバ側水切り材Ｃ2 が横梁１０に装着される（図３参照）。
【００１７】
また、壁側水切り材Ｄの場合には、主柱９に装着される〔図５（Ｂ），（Ｃ）参照〕。そして、図７に示すように、屋根側水切り材Ｃと壁側水切り材Ｄとにより枠体Ｆが構成される。該枠体Ｆには、前記屈曲端縁６及び屈曲端縁８により内方側に向かって突出する段状部が形成され、定型シール材１８が長手方向に沿って装着される。
【００１８】
その枠体Ｆにおいて、コーナー箇所で隣り合う軒側水切り材Ｃ1 とケラバ側水切り材Ｃ2 とは、いずれかの屈曲端縁６箇所を所定の形状に切除し、気密に接続固定される。さらに、屋根側水切り材Ｃと壁側水切り材Ｄとの接続においても、上記軒側水切り材Ｃ1 とケラバ側水切り材Ｃ2 との接続と同様に何れか一方の端部箇所を適宜に切除し、他方側との接続性が適正となるように形成され、気密的に接続される。
【００１９】
枠体Ｆは、前記主柱９及び横梁１０に支持され、主柱９及び横梁１０に屋根側水切り材Ｃ及び壁側水切り材Ｄが装着される。このようにして屋根側水切り材Ｃ，Ｃ，…及び壁側水切り材Ｄ，Ｄ，…により天井面及び壁面箇所に大きな開口部を有する建築構造物の枠体Ｆが構成される。そして、枠体Ｆの開口部周囲には屈曲端縁６，６及び屈曲端縁８，８による凹み部が形成されることになる。
【００２０】
次に、定型シール材１８と非定型シール材１９について述べる。まず、定型シール材１８は、長手方向に長尺材であり、その材質としてはスポンジ，ウレタン，軟質ゴム等から形成されている。その定型シール材１８が前記屋根側水切り材Ｃの屈曲端縁６，６及び壁側水切り材Ｄの屈曲端縁８，８に貼着される。その屋根側水切り材Ｃ及び壁側水切り材Ｄにより構成された枠体Ｆの天井開口部に金属屋根板材Ａ1 ，Ａ1 ，…が配置固着される（図１参照）。また、壁面開口部には金属壁板材Ｂ1 ，Ｂ1 ，…が配置固着される（図１参照）。前記定型シール材１８及び非定型シール材１９を総称してシール材と称する。
【００２１】
その屋根側水切り材Ｃと金属屋根板材Ａ1 との間には、定型シール材１８が装着される。該定型シール材１８を予め屋根側水切り材Ｃ側に貼着しておいてもかまわない。そして、金属屋根板材Ａ1 は、シート状シール材１２箇所にドリルビス１３をねじ込んで金属屋根板材Ａ1 を屋根側水切り材Ｃに固定する。
【００２２】
同様に、壁側水切り材Ｄと金属壁板材Ｂ1 との間にも定型シール材１８が装着される。前述したように、定型シール材１８は、予め壁側水切り材Ｄに貼着しておいてもかまわない。そして、金属壁板材Ｂ1 は、定型シール材１８箇所にドリルビス１３をねじ込んで金属壁板材Ｂ1 を壁側水切り材Ｄに固定する〔図４（Ｂ），図５（Ｂ）等参照〕。また、非定型シール材１９は、容器から押し出して隙間等に流し込むようにして充填するタイプである。
【００２３】
次に、屋根側水切り材Ｃの軒側水切り材Ｃ1 とケラバ側水切り材Ｃ2 とにより形成された天井開口部を塞ぐようにして配置した金属屋根板材Ａ1 ，Ａ1 ，…は、屋根側水切り材Ｃの屈曲端縁６，６との間に屋根側気密用の溝状部ｄを構成する。その溝状部ｄには、既に前記定型シール材１８が埋め込まれるようにして装着されている。その溝状部ｄ内に非定型シール材１９が充填される。
【００２４】
同様に、壁側水切り材Ｄにより形成された壁面開口部を塞ぐようにして配置した金属壁板材Ｂ1 ，Ｂ1 ，…は、壁側水切り材Ｄの屈曲端縁８，８との間に壁側気密用の溝状部ｄを構成する。そして、前記壁側気密用の溝状部ｄには、前記定型シール材１８が埋め込まれるようにして装着されている。その溝状部ｄ内に非定型シール材１９が前述のようにして充填される。
【００２５】
前記金属屋根板材Ａ1 ，Ａ1 により構成された内殻屋根Ａには、外殻屋根ＵR が葺成され、二層屋根とする。該外殻屋根ＵR は、複数の外殻屋根板ＵR1，ＵR1，…が並設して施工されたもので、その外殻屋根板ＵR1の具体的な実施例としては、外殻屋根主板２１の幅方向の両端に下馳部２２と上馳部２３とが形成されたものである（図９参照）。このような、折板屋根や他に横葺屋根，瓦棒葺、フラット屋根のように、通常の屋根の機能を有するものならどのようなものでもかまわない。
【００２６】
そして、内殻屋根Ａには、支持梁２４がクリーンルーム内部の気密を維持するようにして装着され、該支持梁２４上に受金具２５を介して外殻屋根板ＵR1が配置され、その隣接する外殻屋根板ＵR1，ＵR1同士の下馳部２２と上馳部２３とが、図９に示すように馳締連結される。
【００２７】
このようにして、隣接する外殻屋根板ＵR1，ＵR1，…をそれぞれ連結することにより外殻屋根ＵR が施工される〔図２（Ａ）乃至（Ｃ）参照〕。その内殻屋根Ａと外殻屋根ＵR との間にグラスウール等からなる断熱材が充填されることもある。これにより、屋根における断熱性を一層，良好にすることができる。
【００２８】
前記金属壁板材Ｂ1 ，Ｂ1 ，…により構成された内殻壁Ｂには、外殻壁ＵW が葺成され、二層壁とする実施形態とすることもある。該外殻壁ＵW は、複数の外殻壁板ＵW1，ＵW1，…が並設して施工されたものである。その内殻壁Ｂと外殻壁ＵW との間にも断熱材が充填されることもあり、前記屋根における断熱材とともに、壁における断熱材により、極めて保温性に優れたクリーンルームとすることができ、室内の温度管理を極めて正確に行なうことができる。
【００２９】
本発明のクリーンルームでは、内殻屋根Ａを構成する金属屋根板材Ａ1 ，Ａ1 ，…の接合面に定型シール材１８及び非定型シール材１９等を使用して構成し、また金属壁板材Ｂ1 ，Ｂ1 ，…の接合面に定型シール材１８及び非定型シール材１９等を使用して構成することで、そのクリーンルーム内部は略密封状態となっている。
【００３０】
そして、クリーンルーム室内の圧力とクリーンルームの外部における圧力との圧力差において高く又は低く設定した場合に、その設定圧力は、所定時間経過後も略一定状態を維持することができる。具体的に説明すると、クリーンルーム室内における気圧を１０(mmH2O) に設定した場合に、その設定開始から１０分後の気圧降下による気圧は２．５(mmH2O) の状態を維持している。本発明のクリーンルームは、このような圧力維持が可能な気密性を有している。
【００３１】
【発明の効果】
請求項１の発明は、２層構造からなる金属製屋根及び金属製壁において、内方側の内殻屋根Ａと内殻壁Ｂは、２つの屈曲端縁６，６を有する屋根側水切り材Ｃにて横梁１０箇所で接続され、前記内殻壁Ｂ，Ｂ同士は２つの屈曲端縁８，８を有する壁側水切り材Ｄにて主柱９箇所で接続され、前記内殻屋根Ａ及び内殻壁Ｂと、前記屋根側水切り材Ｃとの間にシート状シール材１２が介在されて前記横梁１０に固定されつつそれぞれ溝状部ｄ，ｄが形成され、且つ前記内殻壁Ｂ，Ｂ同士と壁側水切り材Ｄとの間にシート状シール材１２が介在されて前記主柱９に固定されつつそれぞれ溝状部ｄ，ｄが形成され、それぞれの溝状部ｄにシール材が装着されて、気密性を有してなるクリーンルームとしたことにより、気密性，防水性に優れ、独立した比較的小規模な工場として新設，増設に好適なものとすることができる。
【００３２】
即ち、屋根，壁がそれぞれ２層構造であり、且つ前記屋根，壁をそれぞれ金属製としているので、２層構造の外殻部分は防水の役目をなし、内殻屋根Ａ，内殻壁Ｂは、気密性を確保することができるものである。また、２層構造からなる金属製屋根，壁としたことで、比較的強固で耐久性のある建造物にすることができ、独立した建造物として新設したり、或いは簡単に増設することにも好適なものとすることができる。
【００３３】
次に、請求項２の発明は、２層構造からなる金属製屋根と金属製壁と、２つの屈曲端縁６，６を有する屋根側水切り材Ｃと２つの屈曲端縁８，８を有する壁側水切り材Ｄとからなり、前記金属製屋根における内殻屋根Ａを構成する金属屋根板材Ａ1 ，Ａ1 同士の馳部接合面には接合部シール材２０を設けて気密性を有し、前記内殻屋根Ａと内殻壁Ｂとは前記屋根側水切り材Ｃにて横梁１０箇所で接続され、前記内殻壁Ｂ，Ｂ同士は壁側水切り材Ｄにて主柱９箇所で接続され、前記内殻屋根Ａ及び内殻壁Ｂと、前記屋根側水切り材Ｃとの間にシート状シール材１２が介在されて前記横梁１０に固定されつつそれぞれ溝状部ｄ，ｄが形成され、且つ前記内殻壁Ｂ，Ｂ同士と壁側水切り材Ｄとの間にシート状シール材１２が介在されて前記主柱９に固定されつつそれぞれ溝状部ｄ，ｄが形成され、それぞれの溝状部ｄ，ｄにシール材が装着されてなるクリーンルームとしたことにより、気密構造の施工を容易に行なうことができる。
【００３４】
即ち、金属屋根板材Ａ1 ，Ａ1 同士の馳部接合面、金属屋根板材Ａ1 と金属壁板材Ｂ1 との水切り接合面にそれぞれシール材を設けることにより気密性を有する接合箇所とすることができる。また、本発明のクリーンルームの構造は、極めて簡単であり、その施工も簡易且つ迅速にできる。これによって、従来のクリーンルームのように工場の内部に設置することも容易にできることは勿論であるが、狭い土地スペースにも施工することができるので、既設工場等に隣接してクリーンルームを建設することも容易にできる。
【００３５】
次に、請求項３の発明は、請求項１又は２において、前記溝状部ｄに装着されるシール材は、定型シール材１８及び非定型シール材１９とし、前記定型シール材１８は非定型シール材１９よりも先に装着されてなるクリーンルームとしたことにより、該クリーンルームの施工性及びその気密箇所における耐久性等を一層、良好にすることができる。特に、二つのタイプの定型シール材１８と非定型シール材１９とを組み合わせて使用することにより、気密性をなお一層，良好なるものにすることができる。
【図面の簡単な説明】
【図１】内殻屋根及び外殻屋根の一部を切除したクリーンルームの斜視図
【図２】（Ａ）は外殻屋根の一部を切除したクリーンルームの平面図
（Ｂ）は側面部の外殻壁を省略して内殻壁が見えるようにしたクリーンルームの側面図  （Ｃ）はクリーンルームの略示縦断正面図
【図３】２層屋根の水上側における要部拡大断面図
【図４】（Ａ）は水上側の屋根側水切り材の要部斜視図
（Ｂ）は水上側の屋根側水切り材に金属屋根板材を施工した要部斜視図
【図５】（Ａ）は２層屋根の水下側における要部断面図
（Ｂ）は水下側の壁部水切り材箇所の略示断面図
（Ｃ）は（Ｂ）の要部拡大図
【図６】（Ａ）は金属屋根板材と金属壁板材との納まりを示す略示断面図
（Ｂ）は（Ａ）の要部拡大図
【図７】枠体の斜視図
【図８】（Ａ）は馳締連結部の上方のみにシール材を装着した立馳連結部の断面図
（Ｂ）は馳締連結部の上方及び下方にシール材を装着した立馳連結部の断面図
【図９】外殻屋根の実施形態の縦断正面図
【符号の説明】
Ａ…内殻屋根
Ａ1 …金属屋根板材
Ｂ…内殻壁
Ｂ1 …金属壁板材
Ｃ…屋根側水切り材
Ｄ…壁側水切り材
ｄ…溝状部
６…屈曲端縁
８…屈曲端縁
９…主柱
１０…横梁
１２…シート状シール材
１８…定型シール材
１９…非定型シール材
２０…接合部シール材
【図１】
0003578633.tif 000002
【図２】
0003578633.tif 000003
【図３】
0003578633.tif 000004
【図４】
0003578633.tif 000005
【図５】
0003578633.tif 000006
【図６】
0003578633.tif 000007
【図７】
0003578633.tif 000008
【図８】
0003578633.tif 000009
【図９】
0003578633.tif 000010